(57)【要約】【課題】アプリケーション画面と説明コンテンツ画面の一方から他方に遷移する時間がかかり、ユーザに待ち時間を与える事なく説明コンテンツを表示することができない。また、ハードウェアによって固定されているプレーンの切り換えが行えない可能性がある。【解決手段】アプリケーション制御部１０４はアプリケーションを表示している状態でブラウザ１０６を起動する（Ｓ３０３〜Ｓ３０８）。その状態で、リモコン１０１の電子取説ボタンが押下されると、ブラウザ１０６を用いて該当コンテンツの説明コンテンツを読み込み、説明コンテンツを表示するための動画・静止画切り換えプレーンをプレーン構成の最上位位置に移動してその表示をＯＮとする（Ｓ３０９〜Ｓ３１５）。これにより、表示していたアプリケーション画面からブラウザ画面へのシームレスな遷移を実現すると共に、ユーザに殆ど待ち時間を与えることなく、説明コンテンツを表示することができる。【選択図】      図７
2008306696.tif 000002
【特許請求の範囲】
【請求項１】
ブラウザを搭載すると共に、所定の規格で定義された複数のプレーンからなり、かつ、その複数のプレーンがハードウェアによって固定されていないプレーン構成を備えたデジタルテレビ受信機であって、
外部からのアプリケーション実行の指示に基づいて、指示されたアプリケーションを実行する実行手段と、
前記アプリケーションの実行状態において前記ブラウザを起動するブラウザ起動手段と、
前記ブラウザの起動後、外部からの前記ブラウザを使用した任意の説明コンテンツの表示のための所定のアプリケーションの実行指示があったときは、前記ブラウザを用いて前記任意の説明コンテンツを読み込むコンテンツ読み込み手段と、
前記複数のプレーンに含まれる前記任意のコンテンツのブラウザ表示のために使用する動画・静止画切り換えプレーンを、ハードウェアにより前記プレーン構成の最上位の位置に移動させると共に、その動画・静止画切り換えプレーンの表示をオンとする第１の動画・静止画切り換えプレーン移動手段と、
前記動画・静止画切り換えプレーンの表示のオンにより前記説明コンテンツを表示している状態において、前記説明コンテンツの表示終了又は他のアプリケーション実行の指示が外部からあったときは、少なくとも前記動画・静止画切り換えプレーンを前記プレーン構成における元の位置にハードウェアにより移動させると共に、その動画・静止画切り換えプレーンの表示をオフとする第２の動画・静止画切り換えプレーン移動手段と
を有することを特徴とするデジタルテレビ受信機。
【請求項２】
ブラウザを搭載すると共に、複数のプレーンからなり、かつ、その複数のプレーンがハードウェアによって固定されているプレーン構成を備えたデジタルテレビ受信機であって、
ソフトウェアプレーンの技術を用い、任意のコンテンツのブラウザ表示のために使用するブラウザ用プレーンと、任意のアプリケーションの表示のために用いるアプリケーション用プレーンとを作成して、ハードウェアによって固定された前記複数のプレーンと共に所定の規格で定義されたプレーン構成を得るプレーン作成手段と、
外部からのアプリケーション実行の指示に基づいて、指示されたアプリケーションを実行すると共に、前記アプリケーションプレーンの表示をオンとするアプリケーション実行手段と、
前記アプリケーションの実行状態において前記ブラウザを起動するブラウザ起動手段と、
前記ブラウザの起動後、外部からの前記ブラウザを使用した任意の説明コンテンツの表示のための所定のアプリケーションの実行指示があったときは、前記ブラウザを用いて前記任意の説明コンテンツを読み込むコンテンツ読み込み手段と、
前記所定のアプリケーションの実行指示に基づき、前記ブラウザ用プレーンを前記プレーン構成の最上位の位置に移動させると共に、そのブラウザ用プレーンの表示をオンとする第１のブラウザ用プレーン移動手段と、
前記ブラウザ用プレーンの表示のオンにより前記説明コンテンツを表示している状態において、前記説明コンテンツの表示終了又は他のアプリケーション実行の指示が外部からあったときは、少なくとも前記ブラウザ用プレーンを前記プレーン構成における元の位置に移動させると共に、そのブラウザ用プレーンの表示をオフとし、かつ、前記アプリケーション用プレーン表示をオンとする第２のブラウザ用プレーン移動手段と
を有することを特徴とするデジタルテレビ受信機。
【発明の詳細な説明】
【技術分野】
【０００１】
本発明は、デジタルテレビ受信機に係り、特に電波産業会（ＡＲＩＢ;Association of Radio Industries and Businesses）のＳＴＤ−Ｂ２４第一編第１部６.２において定義されたプレーン構成の切り換え機能を備えたデジタルテレビ受信機に関する。
【背景技術】
【０００２】
近年、デジタルテレビ受信機のアプリケーションが充実してきたことから、その使用方法も多様化する傾向が出てきた。そのため、使用したいアプリケーションでも設定や使用方法が難しく、使いづらい、又は使えないというアプリケーションが存在するようになってしまった。
【０００３】
使えないアプリケーションの操作方法については、取扱説明書を読んだ上で操作を実施できればよいが、実際に、アプリケーションを動作させながら取扱説明書を読むと、デジタルテレビ受信機と手元の取扱説明書の間を、目が行き来する事となり、手元の取扱説明書とテレビ画面との食い違いが生じる事がある。
【０００４】
そこで、使い勝手向上のため、電子取扱説明書（以下、電子取説）が登場してきた。電子取説とは、デジタルテレビ受信機を操作したまま、使いたいアプリケーションの使用方法などを調べる事ができる説明書のことである。この電子取説によれば、デジタルテレビ受信機自身で使いたいアプリケーションの使用方法などを調べられる事から、前述したように手元の取扱説明書とテレビ画面の間で整合性が取れる事によって、目が行き来する事が無くなる。
【０００５】
この電子取説というアプリケーションを実現する方法の一例として、プレーン制御に関わる方法がある。この実現方法の一つとして、ＨＴＭＬ(Hypertext Markup Language)ブラウザを使用して説明コンテンツを、ＵＲＬ(Uniform Resource Locator)を指定する事によって表示する方法がある。これについて図１を用いて説明する。図１は一般的なデジタルテレビ受信機の一例の構成図を示す。同図において、使用したいアプリケーションを動作させている場面で、ユーザ操作により、リモートコントローラ（以下、リモコン）１０１にある各種ボタンのうち、「電子取説」ボタンを押下する。
【０００６】
このボタンの押下によってリモコン１０１から出力されたリモコン信号は、ユーザインターフェース（Ｕ／Ｉ）１０２を通して、デジタルテレビ受信機１００内のキー操作制御部１０３に供給され、ここでリモコン信号の内容が解析された後、デジタルテレビ受信機１００内の現在のアプリケーションの状態を取得するためにアプリケーション制御部１０４にアクセスされる。
【０００７】
すると、アプリケーション制御部１０４は、取得した現在のアプリケーションの状態（例えば、番組表表示／非表示状態や電子取説表示／非表示状態などを表すＩＤなど）をもとに、表示させる説明コンテンツを説明コンテンツ管理テーブル１０５に問い合わせる。
説明コンテンツ管理テーブル１０５は、複数の説明コンテンツ群からなる説明コンテンツ１０７へのＵＲＬをブラウザ１０６に伝えると同時にブラウザ１０６を起動する。ブラウザ１０６はＨＴＭＬブラウザで、説明コンテンツ１０７の中にある、現在のテレビ画面の表示状態に即した説明コンテンツを読み込み、プレーン制御部１０８でアルファブレンディング（半透明の画像と他の画像との重ね合わせ）をして、画面表示部１０９で画面に表示させる。このとき、電子取説は動画・静止画切り換えプレーンに表示させる。アプリケーション使用中、ブラウザ１０６は、起動していない状態から、ユーザ操作によって起動するものとする。
【０００８】
ここで、電子取説の表示を実現する上での、前提条件として、ユーザのリモコン１０１操作で「電子取説」ボタンが押下された場合、速やかに説明コンテンツを表示する必要がある。また、電子取説を閉じた場合、「電子取説」ボタン押下を実行した、元のアプリケーション画面に戻る必要がある（各アプリケーション画面は、静止画、文字図形、字幕プレーンを使用して実現している。）。
【０００９】
以上の事を念頭においた場合、表示するプレーンの切り換えを行う特許文献１記載の従来の信号処理装置を適用して電子取説を実現することが考えられる。この特許文献１記載の従来の信号処理装置は、「決められた順番のスライドショーを滑らかと見せるために、ＳＤカードなどから読み込む画像ファイルの表示先に、動画／静止画／文字図形プレーンを用いて、表示するプレーンの切り換えを行う」というものである。
【００１０】
次に、特許文献１記載の従来の技術をデジタルテレビ受信機に応用した場合の構成及び動作について、図１、図１５、図１６を用いて説明する。図１５は従来のデジタルテレビ受信機にて表示するプレーンのプレーン構成を示す。このプレーン構成はＡＲＩＢ定義のプレーン構成がハードウェアによってすべて提供されている例である。図１５において、動画プレーン２０１、静止画プレーン２０２、動画・静止画切り換えプレーン２０３、文字図形プレーン２０４及び字幕プレーン２０５があり、動画プレーン２０１が最も下の位置に配置され、以下、静止画プレーン２０２、動画・静止画切り換えプレーン２０３、文字図形プレーン２０４及び字幕プレーン２０５の順で上側に配置されていることを示す。
電子取説の説明コンテンツは、ハードウェアによって固定されている動画プレーン２０１、静止画プレーン２０２、及び文字図形プレーン２０４のいずれかのプレーンで表示される。
【００１１】
図１６は従来のデジタルテレビ受信機におけるコンテンツ表示処理を説明するフローチャートである。いま、一例として、アプリケーションは起動している状態であるものとする。この状態において、ユーザが図１のリモコン１０１の「電子取説」のボタンの１回目の押下により電子取説を起動し（図１６のステップＳ１１）、これにより図１の説明コンテンツ管理テーブル１０５が、説明コンテンツ１０７へのＵＲＬをブラウザ１０６に伝えると同時にブラウザ１０６を起動する（図１６のステップＳ１２）。
【００１２】
続いて、押下されたリモコン１０１のボタンが２回目に押下された「電子取説」のボタン（２回目の「電子取説」のボタンの押下は、電子取説アプリケーションの終了を意味する）であるかどうかキー操作制御部１０３が判定し（図１６のステップＳ１３）、「電子取説」のボタンが押下されていない場合は、使用するプレーン（動画／静止画／文字図形プレーン）を選択し（図１６のステップＳ１４）、選択したプレーンが未使用かどうか判定する（図１６のステップＳ１５）。
【００１３】
選択したプレーンが未使用でないときは、ステップＳ１４に戻り使用するプレーンの選択動作を行う。選択したプレーンが未使用であるときは、ブラウザ１０６が説明コンテンツ１０７のコンテンツを読み込み（図１６のステップＳ１６）、プレーン制御部１０８でアルファブレンディングをして、画面表示部１０９で選択プレーンに表示させる（図１６のステップＳ１７）。電子取説の場合は動画プレーン２０１、静止画プレーン２０２及び文字図形プレーン２０４のうち選択したプレーンで説明コンテンツが表示される。この時点では画面に表示を反映しない。
【００１４】
続いて、画面表示部１０９の画面に今まで表示していたプレーンの内容をクリアし（図１６のステップＳ１８）、表示するプレーンを切り換えて、画面に反映させる（図１６のステップＳ１９）。これにより、画面には今まで表示していたプレーンの画像から、新たにコンテンツを読み込んだ動画プレーン２０１、静止画プレーン２０２、文字図形プレーン２０４のうち選択したプレーンに切り換えられて電子取説が表示される。その後ステップＳ１２の処理に戻る。
【００１５】
一方、ステップＳ１３で押下されたリモコン１０１のボタンが電子取説アプリケーション終了を意味する２回目に押下された「電子取説」のボタンであると判定されたときは、ブラウザ起動前に表示されていた元のアプリケーション画面に戻した後（図１６のステップＳ２０）、「電子取説」の表示処理を終了する（図１６のステップＳ２１）。
【００１６】
【特許文献１】特開２００３−２１９３５１号公報
【発明の開示】
【発明が解決しようとする課題】
【００１７】
しかしながら、特許文献１記載の従来の技術をデジタルテレビ受信機に応用した場合には以下の課題がある。第１の課題は、例えば、使用したいアプリケーション操作中に、リモコン１０１の「電子取説」ボタンを押下して「電子取説」を起動した場合、使用したいアプリケーションの説明を表示させるため、アプリケーション毎に説明コンテンツ１０７へのＵＲＬを指定する必要があることによる課題である。
【００１８】
つまり、使用したいアプリケーションによって表示する説明コンテンツ１０７が無数に存在し、裏で、現在使用中のアプリケーションの説明コンテンツを先に読み込んでおいたとしても、実行中のアプリケーションのどの場面で、「電子取説」ボタンが押下されるのかを、予想したところで外れる可能性が高く、「電子取説」ボタンが押下されなければ表示さえ実行されない事から、コンテンツの先読みができないという課題がある。
【００１９】
第２の課題は説明コンテンツの画面表示に係る課題である。つまり、特許文献１記載の発明のように、デジタルテレビ受信機でもプレーンの切り換えを用いてユーザにストレス無しに説明コンテンツを表示させたい、つまり、ユーザに待ち時間を与える事なく説明コンテンツを表示させたいという要求がある。
【００２０】
しかし、特許文献１記載の従来の技術をデジタルテレビ受信機に応用した場合、図１５に示したＡＲＩＢ定義のプレーン構成を崩さないようにシステムを構築するため、全画面のアプリケーションが動作している際は、電子取説の説明コンテンツを表示するプレーンが、アプリケーションを表示するプレーンの下側に位置している場合は、一度アプリケーションを終了して、アプリケーションを表示するプレーンの内容をクリアしてからでないと説明コンテンツを表示することができず、画面表示までに時間がかかる。
【００２１】
また、操作中に電子取説の説明コンテンツを開き、読み終わったらユーザ操作により、直ちにアプリケーションの操作に入るために、元の使用していたアプリケーション画面に表示を戻さなくてはならないため、説明コンテンツ表示時に元のアプリケーションが使用していたプレーンに上書きすると、元のプレーン状態に戻す場合、複雑なプレーン制御が必要となり、画面に表示するまでに時間を要するという課題がある。
【００２２】
第３の課題はプレーンの切り換え手段に係る課題である。すなわち、ＡＲＩＢ定義のプレーンが、ハードウェアによって提供されていると仮定した場合、ハードウェアによって提供されているプレーンを、そのまま入れ換えるには、ハードウェアの対応が必要な場合がある。その場合、従来通りのプレーン切り換えの手段であると、ハードウェアを改造する工数や開発費が発生してしまい、そのままでは、プレーンの切り換えが行えない問題が発生する可能性があるという課題がある。
【００２３】
本発明は以上の点に鑑みなされたもので、コンテンツ表示までの時間を短縮することで、アプリケーションの状態保持と、速やかな説明コンテンツの表示とが可能なデジタルテレビ受信機を提供することを目的とする。
【００２４】
また、本発明の他の目的は、アプリケーション画面及び説明コンテンツ画面の一方の画面から他方の画面への遷移時にユーザが感じる待ち時間を、ほぼ無くすことができるデジタルテレビ受信機を提供することにある。
【００２５】
更に、本発明の他の目的は、ＡＲＩＢ定義のプレーンを、ハードウェアを改造することなく、切り換え得るデジタルテレビ受信機を提供することにある。
【課題を解決するための手段】
【００２６】
上記の目的を達成するため、第１の発明はブラウザを搭載すると共に、所定の規格で定義された複数のプレーンからなり、かつ、その複数のプレーンがハードウェアによって固定されていないプレーン構成を備えたデジタルテレビ受信機であって、
外部からのアプリケーション実行の指示に基づいて、指示されたアプリケーションを実行する実行手段と、アプリケーションの実行状態においてブラウザを起動するブラウザ起動手段と、ブラウザの起動後、外部からのブラウザを使用した任意の説明コンテンツの表示のための所定のアプリケーションの実行指示があったときは、ブラウザを用いて任意の説明コンテンツを読み込むコンテンツ読み込み手段と、複数のプレーンに含まれる任意のコンテンツのブラウザ表示のために使用する動画・静止画切り換えプレーンを、ハードウェアによりプレーン構成の最上位の位置に移動させると共に、その動画・静止画切り換えプレーンの表示をオンとする第１の動画・静止画切り換えプレーン移動手段と、動画・静止画切り換えプレーンの表示のオンにより説明コンテンツを表示している状態において、
説明コンテンツの表示終了又は他のアプリケーション実行の指示が外部からあったときは、少なくとも動画・静止画切り換えプレーンをプレーン構成における元の位置にハードウェアにより移動させると共に、その動画・静止画切り換えプレーンの表示をオフとする第２の動画・静止画切り換えプレーン移動手段とを有することを特徴とする。
【００２７】
また、上記の目的を達成するため、第２の発明は、ブラウザを搭載すると共に、複数のプレーンからなり、かつ、その複数のプレーンがハードウェアによって固定されているプレーン構成を備えたデジタルテレビ受信機であって、
ソフトウェアプレーンの技術を用い、任意のコンテンツのブラウザ表示のために使用するブラウザ用プレーンと、任意のアプリケーションの表示のために用いるアプリケーション用プレーンとを作成して、ハードウェアによって固定された複数のプレーンと共に所定の規格で定義されたプレーン構成を得るプレーン作成手段と、外部からのアプリケーション実行の指示に基づいて、指示されたアプリケーションを実行すると共に、アプリケーションプレーンの表示をオンとするアプリケーション実行手段と、アプリケーションの実行状態においてブラウザを起動するブラウザ起動手段と、ブラウザの起動後、外部からのブラウザを使用した任意の説明コンテンツの表示のための所定のアプリケーションの実行指示があったときは、ブラウザを用いて任意の説明コンテンツを読み込むコンテンツ読み込み手段と、所定のアプリケーションの実行指示に基づき、ブラウザ用プレーンをプレーン構成の最上位の位置に移動させると共に、そのブラウザ用プレーンの表示をオンとする第１のブラウザ用プレーン移動手段と、ブラウザ用プレーンの表示のオンにより説明コンテンツを表示している状態において、説明コンテンツの表示終了又は他のアプリケーション実行の指示が外部からあったときは、少なくともブラウザ用プレーンをプレーン構成における元の位置に移動させると共に、そのブラウザ用プレーンの表示をオフとし、かつ、アプリケーション用プレーン表示をオンとする第２のブラウザ用プレーン移動手段とを有することを特徴とする。
【００２８】
第１及び第２の発明では、アプリケーションを実行した段階で、ブラウザを起動した状態にしておき、外部からのブラウザを使用した任意の説明コンテンツの表示のための所定のアプリケーションの実行指示があったときは、動画・静止画切り換えプレーン又はブラウザ用プレーンをプレーン構成の最上位の位置に移動して動画・静止画切り換えプレーン又はブラウザ用プレーンの表示をオンとしてブラウザを用いて取得した説明コンテンツを表示し、その状態で説明コンテンツの表示終了又は他のアプリケーション実行の指示が外部からあったときは、プレーン構成中の動画・静止画切り換えプレーン又はブラウザ用プレーンの位置を移動前の元に位置に戻すと共に、その表示をオフとするため、複雑なプレーン制御を不要とすることで、第１の課題が解決でき、また、複雑なプレーン制御は行う必要がなく、プレーンの移動を行い画面に表示するまでの時間は殆どかからない事から、第２の課題を解決できる。
【００２９】
更に、複数のプレーンがハードウェアによって固定されているプレーン構成を備えたデジタルテレビ受信機においては、ソフトウェアプレーンの技術を用い、任意のコンテンツのブラウザ表示のために使用するブラウザ用プレーンと、任意のアプリケーションの表示のために用いるアプリケーション用プレーンとを作成し、作成したブラウザ用プレーンとアプリケーション用プレーンとを切り換える事で、ハードウェアの改造を不要にできるため、第３の課題が解決できる。
【発明の効果】
【００３０】
本発明によれば、複雑なプレーン制御を行うことなく、アプリケーションの状態保持と速やかな説明コンテンツの表示とを可能にでき、アプリケーション画面から説明コンテンツ画面、あるいは説明コンテンツ画面からアプリケーション画面への遷移時にユーザが感じる待ち時間を、ほぼ無くすことができる。また、本発明によれば、ハードウェアの改造を行うことなく、アプリケーション表示画面とブラウザ表示画面をシームレスに切り換えることができる。
【発明を実施するための最良の形態】
【００３１】
次に、本発明を実施するための最良の形態について図面と共に説明する。
【００３２】
（第１の実施の形態）
本発明の第１の実施の形態のデジタルテレビ受信機の構成自体は図１に示した構成と同じであり、また、表示プレーンの構成も図１５と同様であるが、本実施の形態はこれらの構成を前提とし、その構成において図２のフローチャートを実行するプログラムに従いデジタルテレビ受信機に搭載されているアプリケーション表示画面とブラウザ表示画面などをシームレスに結ぶようにしたものである。
なお、本実施の形態における表示プレーンは、ハードウェアがＡＲＩＢ定義の図１５に示したプレーン構成を全て提供しており、かつ、ハードウェアによってプレーン構成が固定されないものであり、更に電子取説の説明コンテンツは動画・静止画切り換えプレーン２０３、２０６で表示することを前提とする。
【００３３】
次に、本発明の第１の実施の形態の動作について、図１、図２、図３及び図１５と共に説明する。
図２は、本発明になるデジタルテレビ受信機の第１の実施の形態の表示処理動作説明用フローチャートである。
まず、図１のリモコン１０１をユーザが操作することにより、所望のアプリケーションを起動する（図２のステップＳ１０１）。これにより、所望のアプリケーションの起動が完了する（図２のステップＳ１０２）。続いて、図１のブラウザ１０６の起動が開始される（図２のステップＳ１０３）。なお、ブラウザ起動時は、白紙のコンテンツを表示する。
【００３４】
この状態で、ユーザ操作により、リモコン１０１にある各種ボタンのうち、任意のボタンが押下されると、リモコン１０１から押下されたボタンに対応したコードのリモコン信号が出力され、図１のＵ／Ｉ１０２を通して、デジタルテレビ受信機１００内のキー操作制御部１０３に供給されてリモコン信号の内容が解析され、ここで押下されたリモコン１０１のボタンが「電子取説」ボタンであるかどうか監視される（図２のステップＳ１０４）。「電子取説」ボタンが押下されたと判定されるまでは、ステップＳ１０２のアプリケーションの実行状態を継続する。
【００３５】
キー操作制御部１０３は「電子取説」ボタンが押下されたと判定した場合は、アプリケーション制御部１０４にアクセスする。アプリケーション制御部１０４は、取得した現在のアプリケーションの状態（例えば、番組表表示／非表示状態や電子取説表示／非表示状態などを表すＩＤなど）をもとに、表示させる説明コンテンツ１０７を図１の説明コンテンツ管理テーブル１０５に問い合わせる。説明コンテンツ管理テーブル１０５は、説明コンテンツ１０７へのＵＲＬをブラウザ１０６に伝え、ブラウザ１０６は説明コンテンツ１０７からコンテンツを読み込む（図２のステップＳ１０５）。
【００３６】
続いて、プレーン制御部１０８は、図１５に示した表示プレーンの構造中の動画・静止画切り換えプレーン２０３を図３に２０６で示すように最上位プレーンに移動させる（図２のステップＳ１０６）。また、このとき、現在のアプリケーションが使用している動画・静止画切り換えプレーン以外のプレーンの表示をオフとし、動画・静止画切り換えプレーン２０６の表示をオンとする。これにより、動画・静止画切り換えプレーン２０６により画面表示部１０９において、電子取説の説明コンテンツが表示される。
【００３７】
すなわち、図１５において、説明コンテンツ１０７を表示し、その後元のアプリケーション画面に戻す必要があるため、説明コンテンツ１０７を表示するのに使用する動画・静止画切り換えプレーン２０３に対し、プレーン構造上、上に配置されている文字図形プレーン２０４と字幕プレーン２０５の配置を、ハードウェアにより動画・静止画切り換えプレーン２０３の下へ移動させる。すなわち、図３に２０６で示すように、プレーン構造上の最上位プレーンが、字幕プレーン２０５から、動画・静止画切り換えプレーンにする。
原理は、普段パソコンを使用していてウィンドウ１の上にウィンドウ２を完全に重ねると下のウィンドウ１は、表示されていないように見えるという事と同一である。
【００３８】
続いて、キー操作制御部１０３が、操作されたリモコン１０１のボタンが「電子取説」ボタンの２回目の押下であると判定するまで、ブラウザ１０６が表示する説明コンテンツと説明コンテンツとの間を遷移させる（図２のステップＳ１０７、Ｓ１０８）。例えば、１頁目の説明コンテンツで説明しきれない場合に、２頁目の説明コンテンツで続きの説明を行うときに、上記の説明コンテンツの遷移が行われる。また、説明コンテンツ内をリモコン１０１の「上下左右」ボタンでフォーカス移動する場合や、リンク上でリモコン１０１の「決定」ボタンを押下することにより別の説明コンテンツに遷移する場合もある。ただし、「電子取説」ボタン以外のボタン、例えば「ＴＶ画面」ボタン、「特定のアプリケーション」ボタンなどが押下されたと判定したときは、アプリケーションを終了する（図２には図示せず）。
【００３９】
キー操作制御部１０３は、ステップＳ１０８で「電子取説」ボタンの２回目の押下であると判定したときは、電子取説アプリケーションの終了入力であると判断し、プレーン制御部１０８により図３に２０６で示すように最上位の位置にあった動画・静止画切り換えプレーンを図１５に２０３で示す元の位置に移動させる（図２のステップＳ１０９）。このとき、動画・静止画切り換えプレーン２０３の表示をオフとし、アプリケーションが使用するプレーンの表示をオンとする。
【００４０】
続いて、アプリケーション制御部１０４はアプリケーションを実行状態とし（図２のステップＳ１１０）、ブラウザ１０６による電子取説の説明コンテンツの表示を終了する（図２のステップＳ１１１）。なお、動画・静止画切り換えプレーンは、白紙のコンテンツを表示するが、画面には表示されない。
【００４１】
このように、本実施の形態によれば、アプリケーション制御部１０４でアプリケーションを実行した段階で、ブラウザ１０６を起動した状態にしておき（図２のステップＳ１０２、Ｓ１０３）、リモコン１０１の操作により「電子取説」ボタンが押下された場合、現在表示しているアプリケーションの状態に則したコンテンツへのＵＲＬを説明コンテンツ管理テーブル１０５より指定し、ブラウザ１０６により説明コンテンツ１０７を画面表示部１０９に表示させるようにしたため、コンテンツの先読みができなくてもコンテンツ表示までの時間を従来よりも短縮することができる。
【００４２】
また、本実施の形態によれば、電子取説アプリケーションの起動により説明コンテンツ１０７を描画するのに使用する動画・静止画切り換えプレーンを図３に２０６で示すようにハードウェアによりプレーン構造上の最上位プレーンとした後（図２のステップＳ１０６）、電子取説アプリケーションの終了を判定したとき動画・静止画切り換えプレーン２０６の位置を図１５の２０３で示される元の位置に戻すことで、元のアプリケーション画面に戻すようにしたため、複雑なプレーン制御は行う必要がなく、プレーンの移動を行い画面に表示するまでの時間は殆どかからない事から、ユーザに待ち時間を殆ど与えることなく説明コンテンツを表示することができる。なお、表示までの時間は、コンテンツの作りに依存する。また、本実施の形態では、アプリケーション画面からブラウザ画面へのシームレスな遷移も実現できる。
【００４３】
上述した第１の実施の形態では、電子取説の説明コンテンツは、動画・静止画切り換えプレーン２０３、２０６で表示することを前提にしたが、動画プレーン２０１、静止画プレーン２０２、文字図形プレーン２０４、字幕プレーン２０５で表示することにした場合も同様である。
【００４４】
（第２の実施の形態）
次に、本発明の第２の実施の形態について説明する。
本発明の第２の実施の形態のデジタルテレビ受信機の構成自体は図１に示した構成と同じである。また、表示プレーンの構成は従来のデジタルテレビ受信機により図１７に示すようにハードウェアが提供しているプレーンが、動画プレーン１００１、静止画プレーン１００２、メインプレーン１００３、オプションプレーン１００４だった場合、本実施の形態ではソフトウェアプレーンの技術を用い、図１７のメインプレーン１００３の替わりに、図５に示すようにブラウザ用プレーン１００５とアプリケーション用プレーン１００６とを擬似的に作成している。
【００４５】
すなわち、本実施の形態では、第１の実施の形態と異なり、ハードウェアがＡＲＩＢ定義のプレーン構成を全て提供しておらず、かつ、ハードウェアによって図１７のプレーン構成に固定されている場合において、提供されたメインプレーン１００３をソフトウェアプレーンの技術を用い、ブラウザ用プレーン１００５とアプリケーション用プレーン１００６とに分割し、ＡＲＩＢ定義のプレーン構成を擬似的に実現する点に特徴がある。
【００４６】
次に、本発明の第２の実施の形態の動作について、図１、図４、図５及び図６と共に説明する。
図４は、本発明になるデジタルテレビ受信機の第２の実施の形態の表示処理動作説明用フローチャートである。
まず、図１のリモコン１０１をユーザが操作することにより、アプリケーション制御部１０４が所望のアプリケーションを起動する（図４のステップＳ２０１）。
このとき、図５に示した静止画プレーン１００２、アプリケーション用プレーン１００６を使用し、これらの表示をオンにする。これにより、所望のアプリケーションの起動が完了する（図４のステップＳ２０２）。続いて、図１のブラウザ１０６の起動が開始される（図４のステップＳ２０３）。このとき使用するプレーンは図５に示したブラウザ用プレーン１００５であり、その表示をオフにする。なお、ブラウザ起動時は、白紙のコンテンツを表示する。
【００４７】
この状態で、ユーザ操作により、リモコン１０１にある各種ボタンのうち、任意のボタンが押下されると、リモコン１０１から押下されたボタンに対応したコードのリモコン信号が出力され、図１のＵ／Ｉ１０２を通して、デジタルテレビ受信機１００内のキー操作制御部１０３に供給されてリモコン信号の内容が解析され、ここで押下されたリモコン１０１のボタンが「電子取説」ボタンであるかどうか監視される（図４のステップＳ２０４）。「電子取説」ボタンが押下されたと判定されるまでは、ステップＳ２０２のアプリケーションの実行状態を継続する。
【００４８】
キー操作制御部１０３は「電子取説」ボタンが押下されたと判定した場合は、アプリケーション制御部１０４にアクセスする。アプリケーション制御部１０４は、取得した現在のアプリケーションの状態（例えば、番組表表示／非表示状態や電子取説表示／非表示状態などを表すＩＤなど）をもとに、表示させる説明コンテンツ１０７を図１の説明コンテンツ管理テーブル１０５に問い合わせる。説明コンテンツ管理テーブル１０５は、説明コンテンツ１０７へのＵＲＬをブラウザ１０６に伝え、ブラウザ１０６は説明コンテンツ１０７から電子取説の説明コンテンツを読み込む（図４のステップＳ２０５）。
【００４９】
続いて、プレーン制御部１０８は、図５に示した表示プレーンの構造中のブラウザ用プレーン１００５を図６に１０１０で示すように最上位プレーンに移動させる（図４のステップＳ２０６）。また、このとき、図６のアプリケーション用プレーン１００６の表示をオフとし、ブラウザ用プレーン１０１０の表示をオンとする。これにより、ステップＳ２０５で読み込まれた電子取説の説明コンテンツがブラウザ用プレーン１０１０により画面表示部１０９の画面に表示される。
【００５０】
次に、キー操作制御部１０３は、操作されたリモコン１０１のボタンが「電子取説」ボタンの２回目の押下であると判定するまで、ブラウザ１０６が表示する説明コンテンツと説明コンテンツとの間を遷移させる（図４のステップＳ２０７、Ｓ２０８）。ただし、「電子取説」ボタン以外のボタン、例えば「ＴＶ画面」ボタン、「特定のアプリケーション」ボタンなどが押下されたと判定したときは、アプリケーションも説明コンテンツも終了する（図４には図示せず）。
【００５１】
キー操作制御部１０３は、ステップＳ２０８で「電子取説」ボタンの２回目の押下であると判定したときは、電子取説終了と判断して図６に１０１０で示すように最上位の位置にあったブラウザ用プレーンを図５に１００５で示す元の位置に移動させる（図４のステップＳ２０９）。このとき、ブラウザ用プレーン１００５の表示をオフとし、アプリケーション用プレーン１００６の表示をオンとする。
【００５２】
続いて、アプリケーション制御部１０４は、アプリケーションを実行状態とし（図４のステップＳ２１０）、ブラウザ１０６による説明コンテンツの表示を終了する（図４のステップＳ２１１）。これにより、画面表示部１０９は、ブラウザ１０６起動前の元のアプリケーション画面に戻る。これにより、画面表示部１０９は、ブラウザ１０６起動前の元のアプリケーション画面に戻る。なお、ブラウザ用プレーン１００５は、白紙のコンテンツを表示するが、画面には表示されない。
【００５３】
このように、本実施の形態によれば、上記の第１の実施の形態と同様に、アプリケーション制御部１０４でアプリケーションを実行した段階で、ブラウザ１０６を起動した状態にしておき（図４のステップＳ２０２、Ｓ２０３）、リモコン１０１の操作により「電子取説」ボタンが押下された場合、現在表示しているアプリケーションの状態に則したコンテンツへのＵＲＬを説明コンテンツ管理テーブル１０５より指定し、ブラウザ１０６により説明コンテンツ１０７を画面表示部１０９に表示させるようにしたため、コンテンツの先読みができなくてもコンテンツ表示までの時間を従来よりも短縮することができる。
【００５４】
また、本実施の形態によれば、ソフトウェアプレーンの技術を用い、図５のブラウザ用プレーン１００５とアプリケーション用プレーン１００６とを擬似的に作成し、説明コンテンツ１０７を描画するのに使用するブラウザ用プレーンを図６に１０１０で示すようにプレーン構造上の最上位プレーンとした後（図４のステップＳ２０６）、電子取説アプリケーション終了と判定したときブラウザ用プレーンの位置を図５の１００５で示される元の位置に戻すことで、元のアプリケーション画面に戻すようにしたため、プレーン構成がハードウェアで固定されていても、ハードウェアを改造する必要が無く、作成したソフトウェアプレーン（ブラウザ用プレーン１１０３、アプリケーション用プレーン１１０４）をシームレスに切り換えることができ、また、複雑なプレーン制御は行う必要がなく、プレーンの移動を行い画面に表示するまでの時間は殆どかからない事から、ユーザに待ち時間を殆ど与えることなく説明コンテンツを表示することができる。
【００５５】
上述した第２の実施の形態では、ブラウザ用プレーン１００５とアプリケーション用プレーン１００６とは、メインプレーン１００３を分割して作成したが、動画プレーン１００１、静止画プレーン１００２、オプションプレーン１００４を分割しても同様である。
【実施例１】
【００５６】
次に、本発明の実施例１について説明する。
この実施例は第１の実施の形態の実施例で、本実施例における電子取説の起動に関わるシーケンス図を図７に、終了に関わるシーケンス図を図８に示す。図７及び図８中、図１と同一構成部分には同一符号を付してある。
【００５７】
まず、図７と共に本実施例の電子取説の起動シーケンスについて説明する。
まず、ユーザによるリモコン１０１の操作で、使用したいアプリケーションのアプリケーションボタンを押下する（ステップＳ３０１）。Ｕ／Ｉ部１０２は、押下されたアプリケーションボタンのキーコードをキー操作制御部１０３へ通知する（ステップＳ３０２）。キー操作制御部１０３は通知されたキーコードに該当する情報をアプリケーション制御部１０４に渡してリモコンで指示されたアプリケーションを起動させる（ステップＳ３０３）。
【００５８】
続いて、プレーン制御部１０８が起動したアプリケーションが使用するプレーン（図１５に示した静止画プレーン２０２、文字図形プレーン２０４、字幕プレーン２０５）の表示をオン（ＯＮ）にし（ステップＳ３０４）、画面表示部１０９の画面にアプリケーション起動画面を表示する（ステップＳ３０５）。
【００５９】
続いて、アプリケーション制御部１０４からの指示によりブラウザ１０６の起動を開始し（ステップＳ３０６）、ブラウザ１０６はその描画領域である図１５に示した動画・静止画切り換えプレーン２０３をオフ（ＯＦＦ）にする（ステップＳ３０７）。そして、ブラウザ１０６は起動を完了する（ステップＳ３０８）。なお、ブラウザ１０６の起動時は、白紙のコンテンツを表示する。そして、説明コンテンツへのＵＲＬを通知されれば、いつでも表示が可能な状態にある。
【００６０】
続いて、ユーザによるリモコン１０１の操作で、「電子取説」ボタンが押下されると（ステップＳ３０９）、押下された「電子取説」ボタンのキーコードがＵ／Ｉ１０２を介してキー操作制御部１０３へ通知される（ステップＳ３１０）。キー操作制御部１０３は入力されたキーコードを解析して電子取説ボタンが押下されたと判断し、その旨をアプリケーション制御部１０４へ通知する（ステップＳ３１１）。アプリケーション制御部１０４は、これによりブラウザ１０６に表示すべき説明コンテンツへのＵＲＬを通知し、ブラウザ１０６は通知された説明コンテンツ１０７へのＵＲＬへ遷移を開始する（ステップＳ３１２）。
【００６１】
その後、ブラウザ１０６からアプリケーション制御部１０４へ、説明コンテンツ１０７のＵＲＬへ遷移完了が通知されると（ステップＳ３１３）、アプリケーション制御部１０４からの通知によりプレーン制御部１０８が、ハードウェアによって固定されていないプレーン構成中の図１５に示した動画・静止画切り換えプレーン２０３を、ハードウェアにて図３の２０６に示す最上位の位置へ移動させる（ステップＳ３１４）。
【００６２】
その後、プレーン制御部１０８が、動画・静止画切り換えプレーン２０６の表示をＯＮにし（ステップＳ３１５）、更にアプリケーションが使用するプレーン（図３の静止画プレーン２０２、文字図形プレーン２０４、字幕プレーン２０５）の表示をＯＦＦにする（ステップＳ３１６）。これにより、画面表示部１０９には最上位位置の動画・静止画切り換えプレーン２０６により説明コンテンツが表示される（ステップＳ３１７）。
【００６３】
次に、図８と共に実施例１の電子取説の終了シーケンスについて説明する。
電子取説の説明コンテンツ表示状態において、ユーザによるリモコン１０１の操作で、「電子取説」ボタンがもう一度押下されると（ステップＳ４０１）、Ｕ／Ｉ部１０２は、リモコン１０１から入力された「電子取説」ボタンのキーコードをキー操作制御部１０３へ通知する（ステップＳ４０２）。キー操作制御部１０３は通知されたキーコードが「電子取説」ボタンのキーコードと解析し、その解析結果をアプリケーション制御部１０４に通知する（ステップＳ４０３）。
【００６４】
これにより、アプリケーション制御部１０４は、説明コンテンツ１０７の表示を終了するようにプレーン制御部１０８に通知し、図３に示した２０６の位置にある動画・静止画切り換えプレーンを図１５に２０３で示した元の位置に移動させる（ステップＳ４０４）。続いて、プレーン制御部１０８は動画・静止画切り換えプレーン２０３の表示をＯＦＦにし（ステップＳ４０５）、アプリケーションが使用するプレーンの表示をＯＮにする（ステップＳ４０６）。これにより、画面表示部１０９は電子取説の説明コンテンツ表示前の元のアプリケーション画面を表示する（ステップＳ４０７）。本実施例によれば、前述した第１の課題と第２の課題を解決できる。
【実施例２】
【００６５】
次に、本発明の実施例２について説明する。
この実施例は第１の実施の形態の実施例で、電子取説の終了に関わるシーケンスとして、「戻る」ボタンが押下された場合の実施例である。本実施例について、図９のシーケンス図を用いて説明する。同図中、図１と同一構成部分には同一符号を付してある。図９において、電子取説の説明コンテンツ表示状態において、まず、ユーザによるリモコン１０１の操作で、「戻る」ボタンが押下されると（ステップＳ５０１）、Ｕ／Ｉ部１０２は、リモコン１０１から送信された「戻る」ボタンのキーコードを受信してキー操作制御部１０３へ通知し（ステップＳ５０２）、更にそのキーコードがアプリケーション制御部１０４に通知される（ステップＳ５０３）。
【００６６】
このとき、現在表示中の説明コンテンツのＵＲＬが、一番最初に表示した説明コンテンツのＵＲＬと同一だった場合、アプリケーション制御部１０４からの通知によりプレーン制御部１０８が図３に示した最上位位置にある動画・静止画切り換えプレーン２０６を図１５に２０３で示した元の位置へ移動させる（ステップＳ５０４）。そして、プレーン制御部１０８は動画・静止画切り換えプレーン２０３の表示をＯＦＦとし（ステップＳ５０５）、アプリケーションが使用するプレーンの表示をＯＮとする（ステップＳ５０６）。
これにより、画面表示部１０９は、元のアプリケーションを表示する（ステップＳ５０７）。このように、一番最初に表示した説明コンテンツのＵＲＬと同一のＵＲＬからの説明コンテンツを表示中に「戻る」ボタンが押下されたときは、元のアプリケーションが表示される。
【００６７】
一方、ステップＳ５０３の時点で現在表示中の説明コンテンツのＵＲＬが、一番最初に表示した説明コンテンツのＵＲＬと同一でなかった場合、アプリケーション制御部１０４はブラウザ１０６に「戻る」ボタン入力を通知する（ステップＳ５０８）。これにより、ブラウザ１０６は１頁前に表示したＵＲＬの説明コンテンツを画面表示部１０９に表示させる（ステップＳ５０９）。このように、一番最初に表示した説明コンテンツのＵＲＬと同一でないＵＲＬからの説明コンテンツを表示中に「戻る」ボタンが押下されたときは、１頁前の説明コンテンツに戻る。本実施例によれば、前述した第２の課題を解決することができる。
【実施例３】
【００６８】
次に、本発明の実施例３について説明する。
この実施例は第１の実施の形態の実施例で、電子取説の終了に関わるシーケンスとして、「ＴＶ画面」ボタンが押下された場合の実施例である。本実施例について、図１０のシーケンス図を用いて説明する。
同図中、図１と同一構成部分には同一符号を付してある。
図１０において、電子取説の説明コンテンツ表示状態において、ユーザによるリモコン１０１の操作で、「ＴＶ画面」ボタンが押下されると（ステップＳ６０１）、Ｕ／Ｉ部１０２は、リモコン１０１から送信された「ＴＶ画面」ボタンのキーコードを受信してキー操作制御部１０３へ通知する（ステップＳ６０２）。
【００６９】
キーコード制御部１０３は通知されたキーコードが「ＴＶ画面」ボタンのものであるときは、アプリケーション制御部１０４にアプリケーションを終了させるよう通知する（ステップＳ６０３）。これにより、アプリケーション制御部１０４は、ブラウザ１０６を終了させる（ステップＳ６０４）。
【００７０】
続いて、アプリケーション制御部１０４は、プレーン制御部１０８により図３に示した動画・静止画切り換えプレーン２０６を図１５に示した元の位置２０３へ移動させ（ステップＳ６０５）、更に動画・静止画切り換えプレーン２０３の表示をＯＦＦとし（ステップＳ６０６）、アプリケーションが使用するプレーンの表示をＯＦＦとする（ステップＳ６０７）。
【００７１】
これにより、画面表示部１０９にはデジタルテレビ受信機が選局受信するテレビ番組の画像（オンエア画面）が表示される（ステップＳ６０８）。このように、電子取説の説明コンテンツ表示中に「ＴＶ画面」ボタンが押下された場合はオンエア画面が表示される。
本実施例によれば、前述した第２の課題を解決することができる。
【実施例４】
【００７２】
次に、本発明の実施例４について説明する。
この実施例は第２の実施の形態の実施例で、本実施例における電子取説の起動に関わるシーケンス図を図１１に、終了に関わるシーケンス図を図１２に示す。図１１及び図１２中、図１と同一構成部分には同一符号を付してある。
【００７３】
まず、図１１と共に本実施例の電子取説の起動シーケンスについて説明する。
まず、ユーザによるリモコン１０１の操作で、使用したいアプリケーションのアプリケーションボタンを押下する（ステップＳ７０１）。Ｕ／Ｉ部１０２は、リモコン１０１から送信された「アプリケーション」ボタンのキーコードをキー操作制御部１０３へ通知する（ステップＳ７０２）。キー操作制御部１０３は通知されたキーコードに該当する「アプリケーション」をアプリケーション制御部１０４に通知して、そのアプリケーションを起動させる（ステップＳ７０３）。
【００７４】
アプリケーション制御部１０４からの通知により、プレーン制御部１０８は起動した「アプリケーション」が使用するプレーン（図５に示した静止画プレーン１００２、アプリケーション用プレーン１００６、オプションプレーン１００４）の表示をＯＮにする（ステップＳ７０４）。これにより、画面表示部１０９は、画面に「アプリケーション」起動画面を表示する（ステップＳ７０５）。
【００７５】
続いて、アプリケーション制御部１０４によりブラウザ１０６の起動を開始し（ステップＳ７０６）、ブラウザ１０６の描画領域である図５に示したブラウザ用プレーン１００５の表示をＯＦＦにする（ステップＳ７０７）。そして、ブラウザ１０６の起動を完了する（ステップＳ７０８）。なお、ブラウザ１０６の起動時は、白紙のコンテンツを表示する。これにより、説明コンテンツへのＵＲＬを通知されれば、いつでも表示が可能な状態になる。
【００７６】
その後、ユーザによるリモコン１０１の操作で、「電子取説」ボタンを押下されると（ステップＳ７０９）、Ｕ／Ｉ部１０２は、リモコン１０１から送信された「電子取説」ボタンのキーコードをキー操作制御部１０３へ通知する（ステップＳ７１０）。キー操作制御部１０３は通知されたキーコードをアプリケーション制御部１０４に通知して、電子取説アプリケーションを起動させる（ステップＳ７１１）。
【００７７】
続いて、アプリケーション制御部１０４は通知されたキーコードにより、ブラウザ１０６に表示すべき説明コンテンツへのＵＲＬを通知し、ＵＲＬへの遷移を開始させる（ステップＳ７１２）。ブラウザ１０６は通知された説明コンテンツ１０７のＵＲＬへ遷移完了すると、その旨をアプリケーション制御部１０４へ通知する（ステップＳ７１３）。すると、アプリケーション制御部１０４はプレーン制御部１０８により図５に示したブラウザ用プレーン１００５を図６に１０１０で示した、プレーン構造上の最上位位置に移動させる（ステップＳ７１４）。
【００７８】
続いて、プレーン制御部１０８は図６に示したブラウザ用プレーン１０１０の表示をＯＮにし（ステップＳ７１５）、図６に示したアプリケーション用プレーン１００６の表示をＯＦＦにする（ステップＳ７１６）。これにより、画面表示部１０９は説明コンテンツを画面に表示する（ステップＳ７１７）。
【００７９】
次に、図１２と共に実施例４の電子取説の終了シーケンスについて説明する。
電子取説の説明コンテンツ表示状態において、「電子取説」ボタンがもう一度押下されると（ステップＳ８０１）、Ｕ／Ｉ部１０２は、リモコン１０１から入力された「電子取説」ボタンのキーコードをキー操作制御部１０３へ通知する（ステップＳ８０２）。キー操作制御部１０３は通知されたキーコードが「電子取説」ボタンのキーコードと解析し、その解析結果をアプリケーション制御部１０４に通知する（ステップＳ８０３）。
【００８０】
これにより、アプリケーション制御部１０４は、説明コンテンツ１０７の表示を終了するようにプレーン制御部１０８に通知し、図６に示した最上位の位置にあるブラウザ用プレーン１０１０を図５に１００５で示した元の位置に移動させる（ステップＳ８０４）。
続いて、プレーン制御部１０８はブラウザ用プレーン１００５の表示をＯＦＦにし（ステップＳ８０５）、アプリケーションが使用するプレーンの表示をＯＮにする（ステップＳ８０６）。
【００８１】
これにより、画面表示部１０９は電子取説の説明コンテンツ表示前の元のアプリケーション画面を表示する（ステップＳ５０７）。本実施例によれば、前述した第１の課題と第２の課題と第３の課題とを解決できる。
【実施例５】
【００８２】
次に、本発明の実施例５について説明する。
この実施例は第２の実施の形態の実施例で、電子取説の終了に関わるシーケンスとして、「戻る」ボタンが押下された場合の実施例である。
本実施例について、図１３のシーケンス図を用いて説明する。
同図中、図１と同一構成部分には同一符号を付してある。
図１３において、電子取説の説明コンテンツ表示状態において、まず、ユーザによるリモコン１０１の操作で、「戻る」ボタンが押下されると（ステップＳ９０１）、Ｕ／Ｉ部１０２は、リモコン１０１から送信された「戻る」ボタンのキーコードを受信してキー操作制御部１０３へ通知し（ステップＳ９０２）、更にそのキーコードがアプリケーション制御部１０４に通知される（ステップＳ９０３）。
【００８３】
このとき、現在表示中の説明コンテンツのＵＲＬが、一番最初に表示した説明コンテンツのＵＲＬと同一だった場合、アプリケーション制御部１０４からの通知によりプレーン制御部１０８が図６に示した最上位位置にあるブラウザ用プレーン１０１０を図５に１００５で示した元の位置へ移動させる（ステップＳ９０４）。そして、プレーン制御部１０８はブラウザ用プレーン１００５の表示をＯＦＦとし（ステップＳ９０５）、アプリケーションが使用するプレーンの表示をＯＮとする（ステップＳ９０６）。これにより、画面表示部１０９は元のアプリケーションを表示する（ステップＳ９０７）。このように、一番最初に表示した説明コンテンツのＵＲＬと同一のＵＲＬからの説明コンテンツを表示中に「戻る」ボタンが押下されたときは、元のアプリケーションが表示される。
【００８４】
一方、ステップＳ９０３の時点で現在表示中の説明コンテンツのＵＲＬが、一番最初に表示した説明コンテンツのＵＲＬと同一でなかった場合、アプリケーション制御部１０４はブラウザ１０６に「戻る」ボタン入力を通知する（ステップＳ９０８）。これにより、ブラウザ１０６は１頁前に表示したＵＲＬの説明コンテンツを画面表示部１０９に表示させる（ステップＳ９０９）。このように、一番最初に表示した説明コンテンツのＵＲＬと同一でないＵＲＬからの説明コンテンツを表示中に「戻る」ボタンが押下されたときは、１頁前の説明コンテンツに戻る。本実施例によれば、前述した第２の課題と第３の課題とを解決することができる。
【実施例６】
【００８５】
次に、本発明の実施例６について説明する。
この実施例は第２の実施の形態の実施例で、電子取説の終了に関わるシーケンスとして、「ＴＶ画面」ボタンが押下された場合の実施例である。
本実施例について、図１４のシーケンス図を用いて説明する。
同図中、図１と同一構成部分には同一符号を付してある。
図１４において、電子取説の説明コンテンツ表示状態において、ユーザによるリモコン１０１の操作で、「ＴＶ画面」ボタンが押下されると（ステップＳ１００１）、Ｕ／Ｉ部１０２は、リモコン１０１から送信された「ＴＶ画面」ボタンのキーコードを受信してキー操作制御部１０３へ通知する（ステップＳ１００２）。
【００８６】
キーコード制御部１０３は、通知されたキーコードが「ＴＶ画面」ボタンのものであるときは、アプリケーション制御部１０４にアプリケーションを終了させるよう通知する（ステップＳ１００３）。これにより、アプリケーション制御部１０４は、ブラウザ１０６を終了させる（ステップＳ１００４）。
【００８７】
続いて、アプリケーション制御部１０４は、プレーン制御部１０８により図６に示した最上位位置にあるブラウザ用プレーン１０１０を図５に示した元の位置１００５へ移動させ（ステップＳ１００５）、更に図５のブラウザ用プレーン１００５の表示をＯＦＦとし（ステップＳ１００６）、アプリケーションが使用する図５のアプリケーション用プレーン１００６の表示をＯＦＦとする（ステップＳ１００７）。
【００８８】
これにより、画面表示部１０９には、デジタルテレビ受信機が選局受信するテレビ番組の画像（オンエア画面）が表示される（ステップＳ１００８）。このように、電子取説の説明コンテンツ表示中に「ＴＶ画面」ボタンが押下された場合はオンエア画面が表示される。本実施例によれば、前述した第２の課題と第３の課題とを解決することができる。
【００８９】
なお、上記の実施の形態及び実施例ではプレーン制御に関わる一例として電子取説の実現方法について記述したが、本発明は以上の実施の形態及び実施例に限定されるものではなく、それ以外のＡＲＩＢ定義のプレーン構成を用いているデジタルテレビ受信機に搭載されているアプリケーションの実行にも用いる事ができる。また、アプリケーション画面とブラウザ画面を切り換える場合、シームレス化を実現する事ができる。
【図面の簡単な説明】
【００９０】
【図１】本発明を適用し得る一般的なデジタルテレビ受信機の一例の構成図である。
【図２】本発明のデジタルテレビ受信機の第１の実施の形態の表示処理動作説明用フローチャートである。
【図３】本発明の第１の実施の形態の電子取説アプリケーション実行時のプレーン構成の一例を示す図である。
【図４】本発明のデジタルテレビ受信機の第２の実施の形態の表示処理動作説明用フローチャートである。
【図５】本発明の第２の実施の形態の電子取説以外のアプリケーション実行時のプレーン構成の一例を示す図である。
【図６】本発明の第２の実施の形態の電子取説アプリケーション実行時のプレーン構成の一例を示す図である。
【図７】実施例１の電子取説起動シーケンスを示すシーケンス図である。
【図８】実施例１の電子取説終了シーケンス（電子取説ボタン押下の場合）を示すシーケンス図である。
【図９】実施例２の電子取説終了シーケンス（戻るボタンの場合）を示すシーケンス図である。
【図１０】実施例３の電子取説終了シーケンス（ＴＶ画面ボタン）を示すシーケンス図である。
【図１１】実施例４の電子取説起動シーケンスを示すシーケンス図である。
【図１２】実施例４の電子取説終了シーケンス（電子取説ボタン押下の場合）を示すシーケンス図である。
【図１３】実施例５の電子取説終了シーケンス（戻るボタンの場合）を示すシーケンス図である。
【図１４】実施例６の電子取説終了シーケンス（ＴＶ画面ボタン）を示すシーケンス図である。
【図１５】従来のデジタルテレビ受信機のハードウェアが提供するプレーン構成の一例を示す図である。
【図１６】従来のデジタルテレビ受信機におけるコンテンツ表示処理を説明するフローチャートである。
【図１７】従来のデジタルテレビ受信機のハードウェアが提供するプレーン構成の他の例を示す図である。
【符号の説明】
【００９１】
１００  デジタルテレビ受信機
１０１  リモコン
１０２  Ｕ／Ｉ
１０３  キー操作制御部
１０４  アプリケーション制御部
１０５  説明コンテンツ管理テーブル
１０６  ブラウザ
１０７  説明コンテンツ
１０８  プレーン制御部
１０９  画面表示部
２０１  動画プレーン
２０２  静止画プレーン
２０３、２０６  動画・静止画切り換えプレーン
２０４  文字図形プレーン
２０５  字幕プレーン
１００１  動画プレーン
１００２  静止画プレーン
１００３  メインプレーン
１００４  オプションプレーン（字幕）
１００５、１０１０  ブラウザ用プレーン
１００６  アプリケーション用プレーン
【図１】
2008306696.tif 000003
【図２】
2008306696.tif 000004
【図３】
2008306696.tif 000005
【図４】
2008306696.tif 000006
【図５】
2008306696.tif 000007
【図６】
2008306696.tif 000008
【図７】
2008306696.tif 000009
【図８】
2008306696.tif 000010
【図９】
2008306696.tif 000011
【図１０】
2008306696.tif 000012
【図１１】
2008306696.tif 000013
【図１２】
2008306696.tif 000014
【図１３】
2008306696.tif 000015
【図１４】
2008306696.tif 000016
【図１５】
2008306696.tif 000017
【図１６】
2008306696.tif 000018
【図１７】
2008306696.tif 000019